(57)【要約】  本発明である実践経験に基づいた潜在意識による習慣化を活用したゴルフ教材セットには次のものが含まれる。特別仕様の練習用ゴルフクラブＮｏ．０、インパクト時のフェースの向きを制定するスイング練習機と練習用ゴルフボール。練習用ゴルフクラブＮｏ．０にはロフトがなく、フェースの平面部がクラブのグリップにも反映された構造である。スイング練習機はインパクト時のフェースの向きを意識化する能力を発達させることに効果的である。練習用クラブＮｏ．０を併用することで、学習者はストライクエリアと弾性ストライクパネルの接触角が０度未満のクリーンなコンタクトを実現できるようになる。
2019500103.tif 000002
【特許請求の範囲】
【請求項１】
クラブヘッド（１１）、シャフト（１２）とグリップ（１３）から構成されていること、クラブの重心はクラブのシャフト（１２）にあり、クラブグリップ（１３）よりもクラブヘッド（１１）に近い位置にあること、クラブヘッド（１１）には少なくとも１箇所の平面な打球面（１０）があること、クラブのグリップ（１３）には少なくとも１箇所の平面（１５）があること、クラブヘッドの打球面（１０）とグリップ（１３）の平面（１５）が平行であることを特徴とする実践経験に基づいた潜在意識による習慣化を活用したゴルフ教材である練習用ゴルフクラブＮｏ．０。
【請求項２】
グリップ（１３）に２箇所の平面（１５）があることを特徴とする請求項１に記載の練習用ゴルフクラブＮｏ．０。
【請求項３】
グリップ（１３）の平面（１５）に垂直な２箇所の平面（１４）があることを特徴とする請求項２に記載のトレーニング用ゴルフクラブＮｏ．０。
【請求項４】
グリップ（１３）の断面が長方形及び正方形であることを特徴とする請求項３に記載のトレーニング用ゴルフボールＮｏ．０。
【請求項５】
クラブのシャフト１２の断面が円形及び四角形であることを特徴とする請求項１に記載の練習用ゴルフクラブＮｏ．０。
【請求項６】
基盤（１）と、この基盤（１）に付属した弾性ストライクパネル（５）で構成されていることを特徴とする潜在意識による習慣化を活用したゴルフ教材であるゴルフスイング練習機。
【請求項７】
弾性ストライクパネル（５）の素材が強度０．２から１０００ＭＰａの弾力性を持っていることを特徴とする請求項６に記載のゴルフスイング練習機。
【請求項８】
基盤（１）の素材が強度０．２から１０００ＭＰａの弾力性を持っていることを特徴とする請求項６に記載のゴルフスイング練習機。
【請求項９】
基盤（１）がくさび形であることを特徴とする請求項７に記載のゴルフスイング練習機。
【請求項１０】
２枚の張り出した板（３）が基盤（１）にしっかりと連結し、弾性ストライクパネル（５）を固定していることを特徴とする請求項７に記載のゴルフスイング練習機。
【請求項１１】
基盤（１）の開口部（７）の断面が弾性ストライクパネル（５）の断面の寸法と同じ、もしくはそれより大きいこと、弾性ストライクパネル（５）は基部（４）を構成すること、基部（４）の水平断面（３０）は基部（１）の開口部（７）の水平断面より大きいこと、弾性ストライクパネル（５）が開口部（７）を通って基部（１）に入り込むことで弾性ストライクパネル（５）の基部（４）が基盤（１）下に固定されることを特徴とする請求項６に記載のゴルフスイング練習機。
【請求項１２】
基盤（１）の高さが弾性ストライクパネル（５）の厚みより大きいことを特徴とする請求項６に記載のゴルフスイング練習機。
【請求項１３】
基盤（１）に少なくとも１箇所の切り込みが開口部（７）まで続き、切り込みが弾性ストライクパネル（５の厚みと同等およびそれ以上に深いことを特徴とする請求項１２に記載のゴルフスイング練習機。
【請求項１４】
基盤（１）がゴルフ用人工芝を用いていることを特徴とする請求項６に記載のゴルフスイング練習機。
【請求項１５】
直径が１５から１９．９ｍｍ、重量が６．４〜９．７ｇの球体であることを特徴とする潜在意識による習慣化を活用したゴルフ教材である練習用ゴルフボール。
【請求項１６】
直径が１７〜１８ｍｍであることを特徴とする請求項１５に記載の練習用ゴルフボール。
【請求項１７】
素材がガラス、プラスチック及びその合成材料であることを特徴とする請求項１５に記載の練習用ゴルフボール。
【請求項１８】
柄（１６）にチョーク１９を差し込むための少なくとも一つのループ（１７）とフックシステム（１８）を有し、ループ（１７）にフックシステム（１８）からの距離がラベルで記されることを特徴とする潜在意識による習慣化を活用したゴルフ教材であるグリーンマーカー。
【請求項１９】
柄（１６）が伸縮式のスチール製であることを特徴とする請求項１８に記載のゴルフ教材用のグリーンマーカー。
【請求項２０】
柄（１６）がロープであることを特徴とする請求項１８に記載のゴルフ教材用のグリーンマーカー。
【請求項２１】
フックシステム（１８）はフックとループ、つまりスナップフックで構成され、柄（１６）には７つ以下のループ（１７）があることを特徴とする請求項１８に記載のゴルフ教材用のグリーンマーカー。
【請求項２２】
請求項１に基づく練習用ゴルフクラブＮｏ．０、請求項６に基づくゴルフスイング練習機、請求項１２に基づく練習用ゴルフボール、請求項１５に基づくグリーンマーカー、貼付面を有し厚みが０．５ｍｍ以下で弾力のある柔らかい素材でできたインパクトラベルから構成されることを特徴とする実践経験に基づいた潜在意識による習慣化を活用したゴルフ教材セット。
【発明の詳細な説明】
【技術分野】
【０００１】
ゴルフ指導
【背景技術】
【０００２】
ゴルフ初心者の誰もが初期段階で何かしらのミスをする。当然それぞれのプレーヤーでミスは異なり、傾向や原因も様々である。
【０００３】
ゴルファーによく見られる行き詰まりやミスは、これまで私が観察してきたところ、頭の中でスイング中のゴルフクラブの動きを正しく描くことができない、または全くイメージすることができないために起こっていると思われ、その内容としては２つ挙げることができる。
・飛球をコントロールできない。
・クラブヘッドとボールの接触がクリーンではない。
【０００４】
レッスンを受ける生徒は、ゴルフクラブの使い方を学ぶ代わりに、身体の動かし方を学んでおり、ゴルフクラブの使い方を練習したり、クラブの扱い方を学ぶことは一切禁じられている。
【０００５】
球筋のコントロール能力が非常に低い、または飛球をコントロールすることが全くできない。
【０００６】
標準的なゴルフクラブは次の３つのパーツから構成されている。打球面である「フェース」があるクラブヘッド、「シャフト」と呼ばれるクラブの柄、「グリップ」と呼ばれるクラブを握る部分。
【０００７】
標準的なゴルフクラブは、クラブヘッドのフェースがシャフトからロフトと呼ばれる打球面の傾斜角度（３度〜６４度）で傾斜しており、この傾斜があることよって、シャフトが下向きにあっても、ボールがインパクト時に上方向へ跳ね上がる。
【０００８】
標準的なゴルフクラブにはロフトがあるため、フェースの平面部をイメージすることはもちろん、意識することもできない。クラブヘッドの形やグリップが丸いため、ショットを打つ際、フェースの平面部を頭の中でイメージしながら必要に応じてうまく操作することができず、技術的に正しいショットを意識した上で打つことができない。
【０００９】
ショットが不正確である場合は常に、クラブヘッドの打球面（フェース）の打点位置が不正確であるか、またはゴルフクラブの動く方向、つまりスイング軌道が不正確であることに起因しており、大抵の場合、この両方が同時に起こっている。ゴルフの指導者は様々な方法で正しいショットを打つためのテクニックを指導しているが、ゴルフクラブのＮｏ．０とゴルフスイング練習機を用いて、フェース平面部の意識づけを指導している者はいない。
【００１０】
ゴルフにおけるストレートショットでは、ボールが当たる瞬間にクラブヘッド（クラブのフェース）がターゲット方向（飛球線方向）を向きながら、かつターゲットに向けてまっすぐ動くことが求められる（スイング軌道）。しかし毎回うまくいくわけではなく、失敗すれば、ボールは狙った方向へ飛ばない。球筋には各々に名称があり、有名なものは下記の通りである。
【００１１】
ドロー：高さはないが距離のあるショットで、ターゲットよりやや右寄りに飛び出した後に、中央へ回転して戻り、通常、着地後のランが長い。
スライス：初期飛び出し方向は左で、その後、大きく右へ曲がっていくショット。
フェード：ターゲットよりやや左寄りに飛び出した後、ボールが中央へ回転して戻り、通常は着地の衝撃が少なく、短いランで止まるショット。
フック：飛球軌道が強く右回転しながら、ターゲットより大きく左へ曲がる。ボールはターゲットより右方向及び真っ直ぐに飛び、その後、大きく左へ曲がるショット。
プル：左直線方向にボールを打ち出すミスショット。
プルフック：左方向へボール打ち出し、その後、そのまま左へ湾曲していくミスショット。
プッシュ：押し出し、捨て打ち、ボールが右直線方向に飛び出すミスショット。
プッシュスライス：ボールがターゲットから右方向へ飛び出し、そのまま右へ湾曲していくミスショット。
スライス：ターゲットへ向かって左、及び真っ直ぐに飛し出し、その後、右回転して右へ湾曲し、着地後は長くランするショット。
【００１２】
これらの球筋はスイング軌道（インサイド・アウト、アウトサイド・イン、ストレート）やターゲットに対するフェースの角度（オープンフェース、クローズフェース）、構え方（オープンスタンス、クローズスタンス）が組み合わされて為すものなので、フェースの平面部を頭で思い描くことのできていないゴルフ初心者がこれらをコントロールするのは不可能である。
【００１３】
比較的多くの割合のプレーヤーが、フェースの平面部を理解していない結果、完全に正しくゴルフクラブを握っていないことで、ボールの打ち出し方向だけでなく、飛距離にも問題を抱えている。完全に正しくゴルフクラブを握っていない状態では、大抵の場合、ショットの際にクラブフェースの打点位置が不正確になり、スイング軌道の方向にずれを引き起こす上、多かれ少なかれ、手首を柔軟に動かすことができない。その結果プレーヤーはゴルフクラブで正しいスイングができず、動作に力が入る。
【００１４】
レッスンを受ける生徒がオープンスタンスに構えた場合、つまり肩のラインがターゲット左に向いている状態では、不正確なスイング軌道がアウトサイド・インへ描かれる。よって大抵の場合、プレーヤーはスライス及びストレートショットをターゲット左にミスショットする。
【００１５】
クローズスタンスは、逆のミスショットで、肩のラインがターゲット右に向き、スイング軌道はインサイド・アウトへ描かれる。よって大抵の場合、ドローやフック、もしくはストレートショットをターゲット右に打つ。
【００１６】
クラブヘッドとボールの接触がクリーンではない
【００１７】
ゴルフ規定に準じた一般ゴルフボールのサイズの最小可能値は４２．６７ｍｍである。このサイズのボールであれば、クリーンに接触しなくても何らかの形でボールが飛ぶようになっている。
【００１８】
よく見かけるミスショットの「ファットショット」とは、ゴルフクラブがボールにあたる前に地面を擦り、ブレーキがかかった状態でボールにインパクトするため、速度が落ち、最終的なショットが短くなる現象である。またよく見かけるミスである「ヘッドアップ」は、インパクト時にクラブヘッドがボールの上半分をヒットしたために、ボールが飛ばず、地面を転がる現象である。
【００１９】
多くのプレーヤーに見られるゴルフのミスに、ゴルフクラブで「ボールの下側」を捕らえようとする現象がある。これはプレーヤーが先入観からゴルフのスイング動作を正しく描けず、間違った判断や衝動に至っている結果で、テニスと同様、ゴルフクラブでボールを「すくう」ことが、ボールを上向きに飛ばすコツだと勘違いしているのである。こういった思い違いや衝動は無意識で自然に形成されるものなので、ゴルフを始めたばかりのプレーヤーであれば、当然に見られる現象である。ただしこれがそのまま基本動作の固定観念になり、その後もずっと間違ったまま残ってしまう。プレーヤーに全く正しい情報が伝わっているのかが疑問であるが、この現象は素人だけでなく、プロの領域においても見受けられる。
【００２０】
この固定観念があると、インパクト時の体の重心は誤って右足（右利きのプレーヤーの場合。左利きの場合は反対）にかかってしまう。この誤りを正すため、インパクト時の重心が左足になるよう、プレーヤーが重心を左足へ持っていくためのドリルや練習法は数多く存在する。しかしこの問題の原因は、プレーヤーの重心の操作能力にあるのではなく、彼の潜在意識にある概念が「ボール下で捕らえてインパクトする」ことであるので、無意識のうちにインパクト時に右足に体重（重心）移動されるのである。
【００２１】
この状態を例示したものが次の図である。インパクト時のゴルフクラブの向きが誤っているため、ゴルフクラブのシャフトが上向きに傾き、プレーヤーの重心が右足の上にある。これではボールにクリーンに接触することは不可能である。クラブヘッドがボールに到達する前に、地面を擦って減速するために、速度が落ち、初期軌道の位置が高く、ボールのスピンも弱くなるため、飛球距離の最大限界値を打ち出すことはできない。
【００２２】
ゴルフ未経験者１００人がゴルフクラブでゴルフボールをショットすると、必ず全員がボールをすくって打ち上げる。個人的な見解ではあるが、あらゆる初心者にとってこれがスタートラインだと言えるだろう。ただ残念なことに、この地点でゴルフ人生が止まってしまう人がいる。ここから自然に抜け出すためには、レッスンを受ける生徒がゴルフクラブの運動方向や操作の原則を正しく理解すること、つまり正しいゴルフスイングのための基本と典型を理解することが不可欠である。
【００２３】
ボールが上方向に飛ぶには、ゴルフクラブがボールに対して、下向きに傾いていることが正しいフォームである。より正確に言えば、クラブのシャフト（柄）とクラブのグリップが下向きに傾いている状態である。フェースにはロフトがあることで、シャフトに対して反対、つまり上向きに傾いているため、ボールが上向きに飛び上がる。
【００２４】
前述の図はインパクト時の正しいクラブの向きの例である。クラブのシャフトが下向きに傾き、プレーヤーの重心は左足にある。よってボールとクラブヘッドがクリーンに接触し、初期軌道の位置も低く、ボールの強く逆スピンするため、飛球距離は理想的な最大限界値を打ち出すことができる。成功しているプレーヤーの誰もがこの方法を活用してショットを打っている。
【００２５】
米国特許第６７２３００１号明細書にはパタータイプのゴルフクラブ用ハンドルの構成が記述されている。パタータイプのゴルフクラブはクラブヘッドを有し、水平に打球面（フェース）とシャフトがクラブヘッドへ繋がっている。ゴルフクラブの延長部分にあるグリップ（ハンドル）は、その断面がフェースの平面部に対し垂直方向で、マットと平行な構造になっている。断面の第一軸は第二軸よりも長く、断面は通常、前面が丸みを帯び、背面が角張った楕円形である。グリップ表面の上部に２本線で位置が示されている。第一方向線はターゲットに対して平行、また第二方向線は第一方向線に対して垂直、かつフェース平面部と平行である。ゴルファーはパットする際に、これらの方向線を使えば狙ったターゲットに向けて正しい方向を確認し、ゴルフクラブの位置を視覚でコントロールすることができる。しかしながらこのタイプのゴルフクラブでは標準的な規定ゴルフクラブに応用できる打球スキルやテクニックを培うことはできない。
【００２６】
米国特許第６７８０１１８号明細書には反復的なスイング練習によりゴルファーのスイングを改善するゴルフスイング訓練装置が記述されている。この装置はゴルフクラブを模擬（シミュレーション）したもので、グリップ部位が長めになっており、反対方向に傾いている端部にはクラブヘッドを模擬した部位がついている。トレーニング装置のシャフトは固い材料を用いて作られており、ゴルフクラブ接触部から、シャフトに沿って装置全長約３分の１の長さで軸を中心に左右対称に伸びている部位を含む一つの部品である。
【発明の概要】
【発明が解決しようとする課題】
【００２７】
大抵のミスはゴルフクラブの操作法を理解していないことや、正しい操作とは反対に操作していることに起因するため、私は学習中のゴルファーにフェースの平面部を視覚化することが効果的であることを考案した。学習中のゴルファーにとって実際にフェースの平面を意識する機会があれば、頭の中で平面が明確化されてスイングを思い描き、どのようにヒットするか、どのようなショットのタイプや球筋が形成されるかを把握した上でショットを実践する経験を積むことができる。
【００２８】
このゴルフ考案技術をまとめたゴルフ教材セットを提案する。セットには特別仕様の練習用ゴルフクラブＮｏ．０、インパクト時の打点位置が制定するゴルフスイング練習器練習機と練習用ゴルフボールが含まれる。セット内にはその他にグリーンマーカー、インパクトエリアを記すインパクトラベルが含まれる。これらのコンポーネントには、ゴルフショットの正しい習慣を訓練するために効果的なシステムも含まれる。
【課題を解決するための手段】
【００２９】
教材を使用する学習者は、基本原則として、練習用ゴルフクラブＮｏ．０、練習用ゴルフボールとゴルフスイング練習機で練習後、明確になった概念と正しい動作を頭の中で思い描きながら、教材で得たスキルを試合用のゴルフクラブとボールに応用する。そうすることでゴルフの全トレーニング工程が前進を遂げ、さらにその効果と速度が増す。この認識とゴルフ練習システムが相互作用して、ゴルフ学習者のトレーニングにおける新しい手法や見解、そしてスキルに発展をもたらす。
【００３０】
練習用ゴルフクラブＮｏ．０は、フェース、シャフト、グリップが同一線上にあるため、ゴルフ初心者がグリップを握った状態で、フェースの平面を視覚だけでなく、グリップ上で手の触感によって平面を認識できるよう設計されている。練習用ゴルフクラブＮｏ．０はロフト角が０度であることから、Ｎｏ．０となっている。フェースの平面が明確で、かつ目で見ることができるため、ゴルフ学習者は判断を誤ることなく、ゴルフクラブを必要に応じて傾けて操作するようになる。フェースをまっすぐにしてショットを打つ必要性から、手首も必然的に合わせて回すようになる。こうして培ったスキルを後にロフト角のある標準ゴルフクラブで応用可能である。学習者は練習用ゴルフクラブＮｏ．０を使ってスイングすることで、フェースの平面部を意識することを学び、飛球を意識的にコントロールする能力を伸ばしていくことができる。
【００３１】
練習用ゴルフクラブＮｏ．０はフェースを有するクラブヘッド、クラブのグリップ、クラブヘッドとグリップを繋ぐシャフトから構成される。クラブヘッドのフェースに少なくとも１箇所の平面、またグリップに少なくとも１箇所の平面があり、これらの平面は互いに平行である。
【００３２】
クラブヘッドが左右対称で、クラブのフェースの裏側がフェースに平行した平面になっていることで、フェースの平面との接触が視覚化される。
【００３３】
グリップにはさらにもう１枚、フェースに平行な平面をつけることが可能である。またグリップにさらに２枚、フェースの平面に対して垂直な平面をつけることでフェースの平面へ当てる確率を上げることができる。
【００３４】
シャフトにもクラブヘッドのフェース平面に平行した平面をつけることができる。
【００３５】
クラブヘッドにはウェイトを搭載するか、グリップよりも重い素材が使用されることで、クラブヘッドがグリップより重量のある構造になっている。
【００３６】
ウェイトとしてボルトが使用される場合はクラブヘッドのヒールとトゥに搭載する。タップの重さが異なることで、スイング中のクラブヘッドのフェースの開け閉めをサポートすることが可能である。
【００３７】
学習者がショットを練習する場合、インパクト時にボールが上向きではなく必ず下向きに飛ぶよう、練習用ゴルフクラブＮｏ．０を構えなくてはならない。フェースの平面がはっきりと見えるため、学習者は状況を正しく判断し、ゴルフクラブを下へ傾ける。このようして学習して得たスキルはロフトのある標準ゴルフクラブを握った時に生かされ、練習時のようにゴルフクラブが下へ傾くことでフェースは上向き、その結果、ボールも上向きに飛ぶようになる。
【００３８】
ゴルフスイング練習機
ゴルフスイング練習機はショット技術を訓練するために効果的である。学習者は弾性パネルのストライク面にゴルフクラブＮｏ．０のヘッドのフェースがインパクトするようにスイングする。片側が基盤に固定された弾性パネルは、ストライク面とクラブヘッドのフェースのあたることで音が出る仕組みである。
【００３９】
ゴルフ初心者はゴルフスイング練習機を使うことで、スイングのスキルを改善することができる。スイングをする度にインパクト時にフェースのどの部位が弾性パネルにヒットしたか、面と面があたったかどうか、つまりをゴルフクラブのフェースが弾性パネル面にインパクトしたか、それともクラブヘッドのエッジが弾性パネル面にあたったかを即座に知ることができる。よって学習者は自分一人で、スイングを改善し調節して、フェースがパネルにインパクトできるようになる。
【００４０】
この訓練が潜在意識のスキルを形成し、学習者は無意識にスキルを活用できるようになる。ゴルフスイング練習機を使うことで、ゴルフスイングの学習期間が劇的に短縮され、スイングスキルが改善される。ゴルフスイング練習機は、硬い素材又は柔らかい素材の基盤に弾性ストライキングパネルが取り付けられた構造である。
【００４１】
弾性ストライキングパネルは、基盤の上に張り出した固体パネルで固定されるか、基盤の下に入れ込まれて取り付けられていることが利点である。
【００４２】
弾性パネルはゴムや樹脂、布、合成繊維織物など柔軟に折り曲げ可能な素材で造られている。
【００４３】
ゴルフスイング練習機の利点として、底面がくさび形になっているため、傾斜面上でトレーニングすることができ、実際のゴルフ場の環境に近づけることが可能である。
【００４４】
練習用ボール
練習用ボールを使って、ゴルフクラブでゴルフボールをすくってショットするような誤った癖を取り除くことができる。ゴルフを始めたばかりの子供は普通のゴルフボールよりかなり小さいボールを使っていても、状況を正しく判断し、ゴルフクラブでボールをすくって打つことなく、クラブをボールにカチンと当ててボールを突く（チッピングする）ようにという指示通り、ボールをただまっすぐ横へ移動させていることが、子供のゴルフキャンプで偶然に確認された。小さなトレーニング用ボールを使えば、ゴルフクラブとボールの正しいコンタクトの習得が劇的に早まるため、この小さな練習用ボールをゴルフ初心者用トレーニング教材の中に含めることにした。
【００４５】
練習用ボールのサイズが小さいほどボールをすくい上げる位置が限定される。よって学習者は、必然的にゴルフクラブのリーディングエッジが隠れた状態でスイングし、それでクラブヘッドから練習用ボールが上を向いて飛び上がることを一目瞭然で理解する。こうしてこのボールを使って練習するとフォームが正しくなり、経験している時に自分で確認することができるため、身につけた動きが潜在意識上で認識される。
【００４６】
練習用ボールの寸法は１５〜１９．９ｍｍで重量が６．４から９．７ｇになるが、１７〜１８ｍｍの寸法が適している。緻密質の材料で造られるが、ガラスやプラスチック、複合材料の使用が適している。
【００４７】
ゴルフスイングの全工程がショットの瞬間に結果となって現れる。この瞬間の正確さ精密さと再現性がゲームにおいて最も重要なファクターの一つとなる。
【００４８】
この小さなボールを使うことで、より高い精度でショットの瞬間を訓練することができ、同時にショットの基本原則をより深く理解できるため、習得期間が短縮される。さらに動作でかかる筋肉のテンションも低減され、筋肉の疲れも軽減される。
【００４９】
このスキルは後に学習者が標準サイズのゴルフボールで応用した際に大きな効果が現れる。ショットの精度を高めることで、飛球距離をより良く予測、コントロールできるようになる。
【００５０】
練習にはゴルフクラブＮｏ．０もしくはチッピング用の標準ゴルフクラブを使用する。
【００５１】
設計されたボールの大きさ（直径）や素材によってショットのタイプや飛球距離が異なる。ボールの大きさ（直径）を選ぶ際の原則は「練習時の動作範囲を狭めれば狭めるほど、直径の小さなボールを扱えるようになる」ことである。
【００５２】
練習用の小さなボールは、スイングの動作範囲を最小限にし、飛球距離を５０〜８００ｃｍに抑えて練習する際に使用される。
【００５３】
グリーンマーカー
グリーンマーカーは可視性の障害物にならないラベルでゴルフホールからの距離を示すものである。グリーンマーカーは、チョークを差し込む複数のループがある柄、ホック及びループやスナップリンクをゴルフホールのフラグポールに引っ掛ける貼付システムで構成される。柄には１〜７箇所のループがあり、各々のループにホールからの距離がラベルで記されている。
【００５４】
インパクトラベル
インパクトラベルは正しいフォームでショットするために、クラブヘッドが狙わなくてはならないインパクトエリアを定義するものである。インパクトエリアは一辺をゴルフボールで、もう一辺をインパクトラベルで定義する。インパクトラベルは下側が貼付面になり、反復して貼り直すことも、また基盤から取り外すことも可能である。学習者のショットがずれて基盤に到達するのが早く、ボールに遠かった場合、クラブヘッドには基盤に貼付されているラベルが接着する。つまり学習者はショットの際に、ボールからの距離を考慮する必要性が出てくる。ショットが正しければ、ボールの位置で基盤に接触するため、インパクトラベルは基盤から剥がれず、元の位置のまま、クラブヘッドに接着することはない。
【００５５】
練習ゴルフ用セットの使用
練習用ゴルフクラブＮｏ．０はスイング練習の際に単体での使用、およびゴルフスイング練習機、トレーニング用ボール、発泡体やゴム製のボールと併用が可能である。ボールの寸法は様々で１７〜１９．５ｍｍのかなり小さなものから５０〜１００ｍｍの大きな練習用ボールもある。５０ｍｍ以上のボールはショット後のボールのスピンを視覚化するため、学習者は自分自身のオープンおよびクローズスタンス、クラブフェースの開け閉め、つまりフェースの向き、およびスイング軌道に対する角度がボールのサイドスピンにいかに影響するかを確認することができる。
【００５６】
ゴルフスイング練習機を使うことで、インパクト時のフェースの向きを意識できるようなる。練習用ゴルフクラブＮｏ．０と併用することで、学習者はフェースと弾性パネルの間の角度が０°以下となるクリーンなあたりを狙う訓練に効果的である。学習者がゴルフスイング練習機とゴルフクラブＮｏ．０を併用してスイング練習をすれば、より明確な意図を持って必要な動作に応じることになるため、フォームもより正確になる。上級段階に進み、インパクト時のフェースの平面を頭の中できちんと描ける段階になれば、ゴルフクラブＮｏ．０の平面箇所を全て取り除いて使用することが可能である。このように学習者は段階を踏んで、標準的なゴルフクラブに移行することができる。
【図面の簡単な説明】
【００５７】
【図１】標準ゴルフクラブ（先行技術）。
【図２】球筋の種類（先行技術）。
【図３】スイングに対してクラブのフェースを平面に立てた時の球筋への影響（先行技術）。
【図４】ショット時のオープン及びクローズスタンス（先行技術）。
【図５】ゴルフスイング練習機の等角投影図。
【図６】ゴルフスイング練習機の側面図。
【図７】実施形態を示したゴルフスイング練習機の断面図。
【図８】クラブＮｏ．０の側面図。
【図９】クラブＮｏ．０の等角投影図。
【図１０】クラブＮｏ．０の全体図。
【図１１】クラブＮｏ．０を上下から見た図。
【図１２】実施形態を示したクラブＮｏ．０の図。
【図１３】Ａ：クラブＮｏ．０の図  Ｂ：実施形態を示したクラブＮｏ．０の詳細図。
【図１４】グリップ１３の断面形を上から見た図。
【図１５】ショット時のゴルファーの正しいフォーム図。
【図１６】ボールを下からショットしている学習者の典型的な誤ったフォーム。
【図１７】練習用ゴルフボールを使用してのショット練習図  Ａ：バックスイング時、Ｂ：インパクト時、Ｃ：ショット後。
【図１８】標準ゴルフボールを使用してのショット練習図  Ａ：バックスイング時、Ｂ：インパクト時、Ｃ：ショット後。
【図１９】練習用ゴルフボール１６−Ｂと標準ゴルフボール１７−Ｂのサイズ比較。
【図２０】グリーンマーカーの図。
【図２１】ショット練習中のインパクトラベルの図。
【図２２】実施形態を示したゴルフスイング練習機の断面図。
【図２３】弾性ストライキングパネルとゴルフスイング練習機の切り込みの実物画像。
【図２４】下から見たスイング練習機の基盤の実物画像。
【発明を実施するための形態】
【００５８】
実施形態１
練習用ゴルフクラブ０はクラブヘッド１１、シャフト１２、グリップ１３から構成され、これら全ての部位の側面は同一平面上にある。
【００５９】
実施形態２
練習用ゴルフクラブ０に構成されたヘッド１１は軸対象で、平面なフェース１０を有し、その裏面１６もまた平面で、フェース１０と平行である。クラブ０のヘッド１１にウェイト９が搭載されている。フェース１０とグリップ１３の平面な両側面１５は平行である。グリップ１３は二箇所の平面を有し、グリップ１３を囲む残りの部位は丸みを帯びている。クラブ０は一枚板の木材で造られ、シャフト１２の一方の末端にグリップ１３が、もう一方の末端にクラブ０のヘッド１１が構成される。
【００６０】
実施形態３
練習用ゴルフクラブ０に構成されたヘッド１１は軸対象で、平面なフェース１０を有し、その裏面１６もまた平面で、フェース１０と平行である。クラブ０のヘッド１１に搭載されたウェイト９として機能するボルトは、その軽い方の部位をクラブ０のヘッド１１のトゥ４に、重い方の部位をクラブ０のヘッド１１のヒール６に位置するよう取り付けている。グリップ１３は１箇所の平面１５を除いて丸みを帯びている。フェース１０はグリップ１３の平面な側面１５と平行である。クラブ０は一枚板の木材で造られ、シャフト１２の一方の末端にグリップ１３が、もう一方の末端にクラブ０のヘッド１１が構成される。
【００６１】
実施形態４
練習用ゴルフクラブ０に構成されたヘッド１１は一箇所の平面なフェース１０を有する。クラブ０のヘッド１１に取り付けたウェイト９であるボルトは、その重い方の部位がクラブ０のヘッド１１のトゥ４に、軽い方の部位がクラブ０のヘッド１１のヒール６に位置するよう締め付けている。フェース１０はグリップ１３にある一箇所の側面１５に平行である。クラブ０は木製で、シャフト１２の片端にあるグリップ１３は１箇所の平面な側面１５を除き丸みを帯びた形状であり、シャフト１２のもう一方の片端にあるクラブ０のヘッド１１のフェース１０の裏面１６は丸みを帯びている。
【００６２】
実施形態５
練習用ゴルフクラブ０はクラブ０のヘッド１１、シャフト１２とグリップ１３から構成される。クラブ０のヘッド１１は軸対象で、平面なフェース１０と平面な裏面１６は互いに平行である。クラブ０のヘッド１１の素材はウェイトとしても十分に機能するようにポリカーボネートと５％合金から造られている。フェース１０はグリップ１３の両側面１５と平行である。ゴルフクラブ０の素材はポリカーボネートである。シャフト１２は断面が円形であり、一方の末端には平面な両側面１５を有するグリップ１３を、もう一方の末端にはヘッド１１を構成している。
【００６３】
実施形態６
ゴルフスイング練習機は木製基盤１にＰＰ双糸生地製の弾性のあるストライキングパネル５が取り付けられた構造である。
【００６４】
実施形態７
ゴルフスイング練習機は木製基盤１に弾性ストライキングパネル５を装着した構造である。基盤１に連結した２枚の張り出した固体板３が弾性ストライクパネル５を固定する。弾性ストライキングパネル５は弾力性のある折り曲げ可能な素材が使用され、アクリル酸系分散剤で強化されたＰＥＳ双糸生地製である。
【００６５】
実施形態８
ゴルフスイング練習機はプラスチック製のくさび形基盤１と交織ＰＰ製の弾性ストライクパネル５から構成される。弾性ストライクパネル５は２枚の張り出した固体板３によって基盤１に固定され、ボルトで基盤１に取り付けられる。
【００６６】
実施形態９
ゴルフスイング練習機は基盤１に２枚の上パネル２を取り付け、このパネル２の間に弾性ストライクパネル５を差し込み、弾性ストライクパネル５が挟まれているパネル２の縁にステンレス製の固定Ｕ型ピース３が嵌め込まれた構造である。
【００６７】
実施形態１０
ゴルフスイング練習機は基盤１、弾性ストライクパネル５、基部４から構成される。基盤１として、人工芝と長方形の開口部７を有するショット練習用のゴルフマットが使用される。弾性ストライクパネル５は基部４に溶接されている。弾性ストライクパネル５は開口部７を通って、基盤１下に入り込み、弾性ストライクパネル５の基部４が基盤１下に固定される。よって、ゴルフクラブＮｏ．０でショットを練習する際、弾性ストライクパネル５は外れずに安定する。弾性ストライキングパネル５はゴム製である。
【００６８】
実施形態１１
ゴルフスイング練習機は基盤１、弾性ストライクパネル５、基部４、部位３０から構成される。基盤１は長方形の開口部７を有し、弾性ストライクパネル５は基部４に溶接される。弾性ストライクパネル５は開口部７を通って、基盤１下に入り込み、弾性ストライクパネル５の基部４が基盤１下に固定される。よって、ゴルフクラブＮｏ．０でショットを練習する際、弾性ストライクパネル５は外れずに安定する。弾性ストライクパネル５と基盤１はどちらもＰＵＲ製である。
【００６９】
実施形態１２
グリーンマーカー２７に構成される柄１６にはチョーク１９を差し込むための５つのループ１７があり、ループ１７はホールのポールフラグに引っ掛けたホック１８から８０ｃｍ、１００ｃｍ、１２０ｃｍ、１４０ｃｍ、２００ｃｍの区間に構成され、各ループ１７にホールからの距離がラベル２５で記される。柄１６は伸縮式のスチール製である。
【００７０】
実施形態１３
グリーンマーカー２７のロープには、チョーク１９を差し込むための７つのループ１７が、ホールのポールフラグに引っ掛けたホック１８から４０ｃｍ、６０ｃｍ、８０ｃｍ、１００ｃｍ、１２０ｃｍ、１４０ｃｍ、２００ｃｍの区間に構成される。
【００７１】
実施形態１４
グリーンマーカー２７のロープには、チョーク１９を差し込むための２つのループ１７が、ホールのポールフラグに引っ掛けたホック１８から８０ｃｍ、１２０ｃｍの区間に構成される。
【００７２】
実施形態１５
インパクトラベル２５は柔らかい弾力性のあるポリウレタン製で、片面が貼付面で、ラベル２５の寸法は縦２ｍｍ、横１０ｍｍである。
【００７３】
実施形態１６
練習用ゴルフボール２６は重量が７．２ｇ、直径が１７ｍｍの球状の白ガラス製である。
【００７４】
実施形態１７
練習用ゴルフボール２６は重量が９．７ｇ、直径が１９．９ｍｍの球状のＰＰＰ製である。
【００７５】
実施形態１８
練習用ゴルフボール２６は重量が７６．４ｇ、直径が１５ｍｍの球状のＰＶＣ製である。
【００７６】
実施形態１９
ゴルフスイング練習機は基盤１、弾性ストライクパネル５、基部４から構成される。基盤１には長方形の開口部７と切り込み２８が構成される。切り込み２８は片側及び反対側から弾性ストライクパネル５と開口部７まで繋がっている。ストライクエリアの逆側にある切り込み２８の縁には斜めなカット２９が構成される。弾性ストライクパネル５は基部４に溶接される。弾性ストライクパネル５は開口部７を通って基盤１下に入り込み、弾性ストライクパネル５の基部４が基盤１下に固定される。よって、ゴルフクラブＮｏ．０でショットを練習する際、弾性ストライクパネル５は外れずに安定する。弾性ストライクパネル５はシリコン製で、基盤１は人工芝付きショット練習用である。
【００７７】
実施形態２０
ゴルフスイング練習機は基盤１、弾性ストライクパネル５、基部４から構成される。基盤１には長方形の開口部７と切り込み２８が構成される。切り込み２８は両側から弾性ストライクパネル５と開口部７まで繋がっている。ストライクエリアの逆側にある切り込み２８の縁には丸み２９を形成している。弾性ストライクパネル５と基部４はポリ塩化ビニル（ＰＶＣ）製のモノリシック構造である。この組み合わせを使用することで弾性ストライクパネル５と基部４の接続部の負荷を軽減できる。弾性ストライクパネル５は開口部７を通って基盤１の下に入り込み、弾性ストライクパネル５の基部４が基盤１下に固定されている。よって、ゴルフクラブＮｏ．０でショットを練習する際、弾性ストライクパネル５は外れずに安定する。弾性ストライクパネル５はＰＶＣ製で、基盤１は人工芝付きのショット練習用のゴルフマットである。
【産業上の利用可能性】
【００７８】
スポーツ訓練、ゴルフ指導。
【符号の説明】
【００７９】
０    ゴルフクラブ０
１    ゴルフスイング練習機基盤
２    ゴルフスイング練習機の上パネル
３    固定Ｕ型ピース
４    弾性ストライクパネルの基部
５    弾性ストライクパネル
６    クラブ０のヘッド１１のエッジ
７    基盤１の開口部
８    弾性ストライクパネルの軌道
９    クラブ０のウェイト
１０    クラブ０のヘッド１１のフェース
１１    クラブ０のヘッド
１２    クラブ０のシャフト
１３    クラブ０のグリップ
１４    グリップ１３の平面
１５    グリップ１３の平面な側面
１６    フェース１０の裏面
１７    マーカーのループ
１８    マーカーのホック
１９    チョーク
２０    標準ゴルフボール
２１    スイング軌道
２２    球筋
２３    フェースの平面
２４    クラブのシャフト１２に対する垂線
２５    インパクトラベル
２６    練習用ゴルフボール
２７    グリーンマーカー
２８    切り込み
２９    斜め／丸み
３０    基部４の水平断面
【図１】
2019500103.tif 000003
【図２】
2019500103.tif 000004
【図３】
2019500103.tif 000005
【図４】
2019500103.tif 000006
【図５】
2019500103.tif 000007
【図６】
2019500103.tif 000008
【図７】
2019500103.tif 000009
【図８】
2019500103.tif 000010
【図９】
2019500103.tif 000011
【図１０】
2019500103.tif 000012
【図１１】
2019500103.tif 000013
【図１２】
2019500103.tif 000014
【図１３】
2019500103.tif 000015
【図１４】
2019500103.tif 000016
【図１５】
2019500103.tif 000017
【図１６】
2019500103.tif 000018
【図１７】
2019500103.tif 000019
【図１８】
2019500103.tif 000020
【図１９】
2019500103.tif 000021
【図２０】
2019500103.tif 000022
【図２１】
2019500103.tif 000023
【図２２】
2019500103.tif 000024
【図２３】
2019500103.tif 000025
【図２４】
2019500103.tif 000026
【国際調査報告】
2019500103.tif 000027
2019500103.tif 000028
2019500103.tif 000029
2019500103.tif 000030